【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
上部電極として働く溶接ガンと下部電極として働く電極板との間で被溶接物を上下からはさんで通電加圧して溶接するスポット溶接機において、
前記下部電極に、
平坦な板状の銅又はその合金の板状材からなって表面のいずれのところも通電され表面にのせられた前記被溶接物をスポット溶接する電極板と、
この電極板の裏側に絶縁層を介して取付けられるベ−ス台と、
前記電極板の内部に平面状に設けられ、直交する各側面から穿孔して形成した縦、横の直線通路を互いに組み合わせ一部で冷却水が循環する冷却水流通回路と、
を設けて成ることを特徴とするスポット溶接機。
【請求項２】
前記ベ−ス台の一部を切欠いて溶接電源の一方の極を連結することを特徴とする請求項１記載のスポット溶接機。
【請求項３】
前記電極板の裏面にめくら孔を形成する一方、前記ベ−ス台の上に前記絶縁層を貼着し、この貼着した前記絶縁層上に前記電極板を重ね合わせ、前記ベ−ス台から植込みボルトを通してその先端を前記電極板の裏面のめくら孔に螺合させ、前記電極板、絶縁層および前記ベ−ス台を一体化して成ることを特徴とする請求項１記載のスポット溶接機。
【請求項４】
前記電極板を銅またはその合金の板状材から構成するのに対し、前記ベ−ス台を機械的強度の強く構成することを特徴とする請求項１記載のスポット溶接機。
【手続補正２】
【補正対象書類名】明細書
【補正対象項目名】０００１
【補正方法】変更
【補正の内容】
【０００１】
この発明はスポット溶接機に係り、なかでも、下部電極として構成される板状の電極板の上で上部電極として構成される溶接ガンにより、上下から被溶接物をはさんでスポット溶接するスポット溶接機であって、この電極板にはその全面にわたって冷却できる冷却水の流通回路が平面的に形成され、このように板状の電極板であることに基づく電磁誘導の影響による抵抗の増加、要するに所謂ふところが広いという現象を軽減でき、さらに、分流に基づく無効電流の増加を低く押さえることができるスポット溶接機に係る。
【手続補正３】
【補正対象書類名】明細書
【補正対象項目名】００１６
【補正方法】変更
【補正の内容】
【００１６】
また、溶接時には被溶接物を電極板の上にのせ溶接時に被溶接物に印加される電流が交流電源（交流のインバ−タ変換による電源、又はダイオ−ドなどによる整流電源）であると、溶接機としての構造そのものが電極板が縦横にきわめて長く、それによる電磁誘導などによる抵抗が大きくなり、大きな電流が流れにくい。このため、高い加圧力や電流量を必要とする被溶接物、例えば、ステンレス材やアルミニウム材などの溶接が必ずしも達成できないという問題が生じる。さらに、板状の電極板を下部電極として用いるため、どうしても先に接合した溶接点との間で分流が起こり、溶接性が損なわれる。
【手続補正４】
【補正対象書類名】明細書
【補正対象項目名】００２０
【補正方法】変更
【補正の内容】
【００２０】
すなわち、本発明に係るスポット溶接機は、上部電極として働く溶接ガンと下部電極として働く電極板との間で被溶接物を上下からはさんで通電加圧して溶接するスポット溶接機において、下部電極に、平坦な板状の銅又はその合金の板状材からなって表面のいずれのところも通電され表面にのせられた被溶接物をスポット溶接する電極板と、この電極板の裏側に絶縁層を介して取付けられるベ−ス台と、電極板の内部に平面状に設けられ、直交する各側面から穿孔して形成した縦、横の直線通路を互いに組み合わせ一部で冷却水が循環する冷却水流通回路と、を設けて成ることを特徴とする。
【手続補正５】
【補正対象書類名】明細書
【補正対象項目名】００２８
【補正方法】変更
【補正の内容】
【００２８】
図４は図１に示す下部電極の電極板内に設けられる冷却水の流通回路のドリルを用いる機械加工による製作態様を平面から説明する説明図である。
【手続補正６】
【補正対象書類名】明細書
【補正対象項目名】００４４
【補正方法】変更
【補正の内容】
【００４４】
そこで、本発明では、図４に示すように、電極板１１の側方から平行に穿孔することによって直線状の流通通路を形成し、これら流通通路を組み合わせ、先に、例えば段落［００２１］に示したとおり、コの字状の流通回路９０を形成する。このように流通回路９０を直線状の流通通路を組み合わせて構成すると、電極板全体にわたって安定した流路抵抗のもとで冷却水が円滑に流れて循環でき、後に示す通り、広い電極板に起因するふところの深さにもとずく障害が緩和でき、図４に示すとおり、電極板１１が厚さ１０〜２０ｍｍ程度に薄くとも、直線状の流通通路９１、９３はドリルなどの機械加工によって容易に形成できる。
【手続補正７】
【補正対象書類名】明細書
【補正対象項目名】００４５
【補正方法】変更
【補正の内容】
【００４５】
例えば、図４に示す電極板１１に設けられた流通回路９０を例にとって説明すると、まず、図４において紙面に対し電極板１１の左の側面からドリルを用いて右の側面に向って穿孔し、直線状の横の流通通路９１を形成する。この先端を貫通させることなくメクラ孔として貫通させることがない。なお、このところに、後記のとおり、冷却水の流入口９２を取付ける。
【手続補正８】
【補正対象書類名】明細書
【補正対象項目名】００４６
【補正方法】変更
【補正の内容】
【００４６】
次に、このように横の流通通路９１を穿孔した左の側面と直交する他の側面（図４において上の側面）から下向きに縦方向に向ってドリルを用いて穿孔し、例えば２本の、直線状の流通通路９３、９３を平行に形成する。これら縦方向の流通通路９３、９３の先端は先に形成した横方向の流通通路９１に連通させ、これら連通点のところにそれぞれ流入口９２と流出口を設ける。云い直すと、図４に示すとおり、流入口９２は横方向の流通通路９１の先端にある連通点のめくら孔のところに設けられるのに対し、流出口は横の流通通路９１の後端にある連通点のところ流出口が設けられ、コの字状の流通回路９０が形成できる。なお、図４は流通回路９０の流通通路９１、９３をドリルによる機械切削によって製作する例を示したもので、流入口９２や流出口以外の開口は閉塞は閉じられるものである。このところは段落［００２３］に「流通回路９０が縦、横の流通通路を互いに組み合わせ一部が循環する閉回路を成すものである」と示され、このことは段落［００４１］、［００４５］にも示されるように、流通回路９０そのものが一部が循環する閉回路であることから明らかである。このように流通回路９０が形成されるところから、１つの流入口９２から冷却水が流通通路９１に流入させると、直交する各流通通路９３、９３に冷却水が流れ、それがこれら通路９３と通路９１の連通点のところの流出口から排出され、その間の冷却水の循環により電極板１１の全面にわたって均一に冷却できる。
【手続補正９】
【補正対象書類名】明細書
【補正対象項目名】００５１
【補正方法】変更
【補正の内容】
【００５１】
【図１】本発明の一つの実施例に係るスポット溶接機の構造の一部を示す説明図である。
【図２】図１に示すスポット溶接機における下部電極の構造の一部を示す説明図である。
【図３】図１に示すスポット溶接機における電極板の構造を示す説明図である。
【図４】図１に示す下部電極の電極板内に設けられる冷却水の流通回路のドリルを用いる機械加工による製作態様を平面から説明する説明図である。
【図５】図１に示すスポット溶接機全体の一例の説明図である。